(57)【特許請求の範囲】
【請求項１】
イオン交換能力の低下したイオン交換樹脂を収容した再生処理タンクに、再生液を供給して前記イオン交換樹脂を再生するイオン交換樹脂の再生方法において、
前記再生処理タンクにイオン交換能力の低下した前記イオン交換樹脂を収容して洗浄水を供給し、前記イオン交換樹脂を水洗し、イオン交換樹脂洗浄後の洗浄水を排出する第１水洗工程と、
第１水洗工程終了後、再生液タンクから前記再生液を前記再生処理タンクに供給する再生液供給工程と、
前記再生処理タンクに供給された前記再生液を循環させて前記イオン交換樹脂を再生する再生工程と、
前記再生工程が所定時間経過した後に、前記再生液の循環を停止して一定時間静置させる静置工程と、
前記静置工程終了後の前記再生処理タンク内の前記再生液を排出する再生液排出工程と、
該再生液排出工程終了後に、前記再生処理タンクに洗浄水を供給し、前記イオン交換樹脂を水洗し、次いで、前記イオン交換樹脂を洗浄後の洗浄水を排出する第２水洗工程とを有することを特徴とするイオン交換樹脂の再生方法。
【発明の詳細な説明】
【技術分野】
【０００１】
本発明は、イオン交換樹脂の再生方法に関し、詳しくは、イオン交換能力の低下したイオン交換樹脂を収容した再生処理タンクに、再生液を供給してイオン交換樹脂を再生するイオン交換樹脂の再生方法に関する。
【背景技術】
【０００２】
従来、溶液中に含まれた各イオンを分離するために、イオン交換樹脂が用いられているが、このイオン交換樹脂は、一定量のイオン交換を行うとイオン交換能力を失うことから、元の交換イオンを含む再生液に浸漬させて再生させている。このイオン交換樹脂の再生方法として、イオン交換能力の低下したイオン交換樹脂を収容した再生処理タンクに、再生液を収容した再生液タンクから再生液を供給し、イオン交換樹脂を通過した再生液を廃液槽に送るものがあった（例えば、特許文献１参照。）。
【先行技術文献】
【特許文献】
【０００３】
【特許文献１】特開平７−２７０２１４号
【発明の概要】
【発明が解決しようとする課題】
【０００４】
しかし、上述の特許文献１のものでは、イオン交換能力の低下したイオン交換樹脂を収容した再生処理タンクに再生液を供給した後、一定時間静置させてイオン交換樹脂を再生させているが、静置時間が長くなることがあった。
【０００５】
そこで本発明は、イオン交換樹脂の再生時間の短縮を図ることができるイオン交換樹脂の再生方法を提供することを目的としている。
【課題を解決するための手段】
【０００６】
上記目的を達成するため、本発明のイオン交換樹脂の再生方法は、イオン交換能力の低下したイオン交換樹脂を収容した再生処理タンクに、再生液を供給して前記イオン交換樹脂を再生するイオン交換樹脂の再生方法において、前記再生処理タンクにイオン交換能力の低下した前記イオン交換樹脂を収容して洗浄水を供給し、前記イオン交換樹脂を水洗し、イオン交換樹脂洗浄後の洗浄水を排出する第１水洗工程と、第１水洗工程終了後、再生液タンクから前記再生液を前記再生処理タンクに供給する再生液供給工程と、前記再生処理タンクに供給された前記再生液を循環させて前記イオン交換樹脂を再生する再生工程と、前記再生工程が所定時間経過した後に、前記再生液の循環を停止して一定時間静置させる静置工程と、 前記静置工程終了後の前記再生処理タンク内の前記再生液を排出する再生液排出工程と、該再生液排出工程終了後に、前記再生処理タンクに洗浄水を供給し、前記イオン交換樹脂を水洗し、次いで、前記イオン交換樹脂を洗浄後の洗浄水を排出する第２水洗工程とを有することを特徴としている。
【発明の効果】
【０００７】
本発明のイオン交換樹脂の再生方法によれば、再生液を再生処理タンクに供給する再生液供給工程の後に、再生処理タンクに供給された再生液を循環させてイオン交換樹脂を再生する再生工程を設けたことにより、イオン交換樹脂の再生効率を高めることができ、再生時間の短縮を図ることができる。
【図面の簡単な説明】
【０００８】
【図１】本発明の一形態例を示すイオン交換樹脂再生装置の系統図である。
【図２】第１水洗工程で再生処理タンクに洗浄水を供給しているイオン交換樹脂再生装置の説明図である。
【図３】第１水洗工程で再生処理タンクから洗浄水を排出しているイオン交換樹脂再生装置の説明図である。
【図４】再生液供給工程で再生処理タンクに再生液を供給しているイオン交換樹脂再生装置の説明図である。
【図５】再生工程で再生液を循環させているイオン交換樹脂再生装置の説明図である。
【図６】再生液排出工程で再生処理タンクから再生液を排出しているイオン交換樹脂再生装置の説明図である。
【図７】第２水洗工程で再生処理タンクに洗浄水を供給しているイオン交換樹脂再生装置の説明図である。
【図８】第２水洗工程で再生処理タンクから洗浄水を排出しているイオン交換樹脂再生装置の説明図である。
【発明を実施するための形態】
【０００９】
図１は、イオン交換樹脂再生装置１１の一形態例を示すもので、イオン交換能力の低下したイオン交換樹脂１２を収容する再生処理タンク１３と、再生液を貯留する再生液タンク１４と、洗浄水を貯留する給水タンク１５と、再生処理タンク１３からの廃液を貯留する廃液槽１６とを備え、再生処理タンク１３には、イオン交換樹脂１２を導入する導入経路１３ａと、イオン交換樹脂１２を導出する導出径路１３ｂとが設けられている。
【００１０】
再生処理タンク１３と給水タンク１５との間には給水径路１７が設けられ、給水径路１７には給水弁１８が設けられている。再生処理タンク１３の下部と廃液槽１６との間には、排水径路１９が設けられ、排水径路１９には、再生処理タンク１３側に出口弁２０が、廃液槽１６側に廃液排出弁２１がそれぞれ設けられ、出口弁２０と廃液排出弁２１との間に引抜きポンプ２２が配置されている。再生液タンク１４の上部と再生処理タンク１３の上部との間には、再生液を供給する再生液供給径路２３が設けられ、再生液供給径路２３には供給弁２４が設けられ、供給弁２４と再生液タンク１４との間に再生液ポンプ２５が配置されている。さらに、再生処理タンク１３の上部と下部との間には、配管の一部が前記排水径路１９と共通すると共に、出口弁２０と引抜きポンプ２２とが共通する循環径路２６が設けられ、循環径路２６の再生処理タンク１３の上部側には入口弁２７が設けられている。
【００１１】
上述のイオン交換樹脂再生装置１１でイオン交換能力の低下したイオン交換樹脂１２を再生させる際には、導入経路１３ａを介してイオン交換能力の低下したイオン交換樹脂１２を再生処理タンク１３に導入した後、まず、第１水洗工程が行われる。第１水洗工程では、図２に示されるように、給水弁１８を開き、給水タンク１５から給水径路１７を介して再生処理タンク１３に洗浄水を供給した後、図３に示されるように、給水弁１８を閉じて、出口弁２０と廃液排出弁２１とを開き、引抜きポンプ２２を作動させて排水径路１９を介して、イオン交換樹脂１２を洗浄した排水を廃液槽１６に送る。
【００１２】
第１水洗工程終了後、再生液供給工程が行われる。再生液供給工程では、図４に示されるように、引抜きポンプ２２を停止するとともに出口弁２０と廃液排出弁２１とを閉じ、供給弁２４を開き、再生液ポンプ２５を作動させて再生液供給径路２３を介して再生液を再生処理タンク１３に送る。また、この時、必要に応じて給水弁１８を開いて給水して再生液を希釈する。
【００１３】
次いで、図５に示されるように、再生工程が行われる。再生工程では、再生液ポンプ２５を停止するとともに供給弁２４及び給水弁１８を閉じ、出口弁２０と入口弁２７とを開き、引抜きポンプ２２を作動させて循環径路２６を介して、再生処理タンク１３の底部から引き抜いた再生液を再生処理タンク１３の上部から再度供給し、循環する再生液によりイオン交換樹脂１２を再生させる。また、所定時間が経過した後に、引抜きポンプ２２を停止して必要に応じて一定時間静置させる。
【００１４】
イオン交換樹脂１２の再生が終了すると、図６に示されるように、再生液排出工程が行われる。再生液排出工程では入口弁２７を閉じ、出口弁２０と廃液排出弁２１とを開き、引抜きポンプ２２を作動させて、排水径路１９を介してイオン交換樹脂１２を循環した再生液を廃液槽１６に送る。
【００１５】
再生液排出工程後、第２水洗工程が行われる。第２水洗工程は、図７に示されるように、引抜きポンプ２２を停止するとともに出口弁２０と廃液排出弁２１とを閉じ、第１水洗工程と同様に、給水弁１８を開き給水タンク１５から給水径路１７を介して再生処理タンク１３に洗浄水を供給した後、図８に示されるように、給水弁１８を閉じ、出口弁２０と廃液排出弁２１とを開き、引抜きポンプ２２を作動させて排水径路１９を介してイオン交換樹脂１２を洗浄した排水を廃液槽１６に送液し、導出径路１３ｂを介して再生されたイオン交換樹脂１２を導出する。
【００１６】
本形態例は、上述のように、再生液タンク１４から再生液を再生処理タンク１３に供給する再生液供給工程の後に、再生処理タンク１３に供給された再生液を循環させてイオン交換樹脂１２を再生する再生工程を設けたことにより、イオン交換樹脂１２の再生効率を高めることができ、再生時間の短縮を図ることができる。
【００１７】
なお、本発明のイオン交換樹脂は限定されるものではなく、また、再生液はイオン交換樹脂に応じて適宜選択すればよい。さらに、再生処理タンクと再生液タンクとの間に高低差があれば、再生液ポンプを省略することができる。
【符号の説明】
【００１８】
１１…イオン交換樹脂再生装置、１２…イオン交換樹脂、１３…再生処理タンク、１４…再生液タンク、１５…給水タンク、１６…廃液槽、１７…給水径路、１８…給水弁、１９…排水径路、２０…出口弁、２１…廃液排出弁、２２…引抜きポンプ、２３…再生液供給径路、２４…供給弁、２５…再生液ポンプ、２６…循環径路、２７…入口弁 
【図１】
0006535538.tif 000002
【図２】
0006535538.tif 000003
【図３】
0006535538.tif 000004
【図４】
0006535538.tif 000005
【図５】
0006535538.tif 000006
【図６】
0006535538.tif 000007
【図７】
0006535538.tif 000008
【図８】
0006535538.tif 000009